(57)【特許請求の範囲】
【請求項１】
座部の後部にリクライニング可能な背もたれ部が配設され、前部に足載せ部が配設された椅子型のマッサージ機において、座部と背もたれ部と足載せ部の少なくとも１以上を加温する温熱部を備えると共に、背もたれ部の角度を可変にするためのリクライニング機構部の回動支点の近傍にマッサージ機構を手元で操作する操作器を収納するための操作器収納部を設置し、上記温熱部の入切スイッチを上記操作器収納部の近傍位置にマッサージ機構の回動支点とほぼ同心円の方向に往復移動自在に設置して、入切スイッチの設置角度が背もたれ部のリクライニング角度に対応して変化できるように構成したことを特徴とするマッサージ機。
【請求項２】
温熱部の入切スイッチがマッサージ機構の電源スイッチとは独立して配置され、温熱部の入切スイッチを押しながら電源スイッチをオンにしたときはその後に温熱部の入切スイッチを押しても温熱部はオンとならないように構成されていることを特徴とする請求項１記載のマッサージ機。
【請求項３】
温熱部の入切スイッチのオン・オフ確認用の表示灯を備えると共に、温熱部の入切スイッチの角度変化に対応して上記表示灯の設置角度を変化できるように構成したことを特徴とする請求項１記載のマッサージ機。
【発明の詳細な説明】
【０００１】
【発明の属する技術分野】
本発明は、椅子型のマッサージ機に関するものである。
【０００２】
【従来の技術】
従来、座部８の後部にリクライニング可能な背もたれ部９が配設され、前部に足載せ部１０が配設された椅子型のマッサージ機１において、図６に示すように、マッサージ効果の増幅を狙って座部８や背もたれ部９等に温熱用ヒーター（図示せず）を内蔵したものが知られている。図中の２はマッサージ機構、２ａは背もたれ部用マッサージ機構、２ｂは足載せ部用マッサージ機構、６は操作器、７は操作器収納部、５は温熱用ヒーターの入切スイッチ、１１はリクライニング機構部、１５は入切スイッチ５が設置される肘掛である。
【０００３】
【発明が解決しようとする課題】
ところが、従来では、温熱用ヒーターの入切スイッチ５が、マッサージ機構２の操作を行う操作器６を収納するための操作器収納部７から離れた場所（例えば肘掛１５）に設置されているため、マッサージ機構２と温熱用ヒーターとを同時に使用することが多いにもかかわらず、操作器６を操作器収納部７から取り出し、さらに温熱用ヒーターの入切スイッチ５を入れる、という２つの動作を離れた場所で行う必要があり、使用者にとって非常に不便なものであった。特に、温熱用ヒーターを使用する際に、背もたれ部９のリクライニング角度によっては、入切スイッチ５まで手が届かずに、入切スイッチ５を押すために使用者がわざわざ起き上がってスイッチ操作を行わなければならないという煩わしさがあった。
【０００４】
本発明は、上記の従来例の問題点に鑑みて発明したものであって、その目的とするところは、操作器を操作器収納部から取り出す動作と温熱部の入切スイッチを入れる動作が容易となり、使用性及び操作性の向上を図ることができるマッサージ機を提供するにあり、別の目的とするところは、温熱部の入切スイッチが偶発的或いは故意（例えば子供の悪戯など）にオンになるという不具合を未然に防止できるマッサージ機を提供するにある。
【０００５】
【課題を解決するための手段】
上記課題を解決するために本発明は、座部８の後部にリクライニング可能な背もたれ部９が配設され、前部に足載せ部１０が配設された椅子型のマッサージ機において、座部８と背もたれ部９と足載せ部１０の少なくとも１以上を加温する温熱部４を備えると共に、背もたれ部９の角度を可変にするためのリクライニング機構部１１の回動支点Ａの近傍にマッサージ機構２を手元で操作する操作器６を収納するための操作器収納部７を設置し、上記温熱部４の入切スイッチ５を上記操作器収納部７の近傍位置にマッサージ機構２の回動支点Ａとほぼ同心円の方向に往復移動自在に設置して、入切スイッチ５の設置角度を背もたれ部９のリクライニング角度に対応して変化できるように構成したことを特徴としており、このように構成することで、操作器６を操作器収納部７から取り出す動作と温熱部４の入切スイッチ５を入れる動作とを互いに接近した位置で容易に行うことができ、マッサージ機構２と温熱部４とを同時に使用する場合の操作性が向上する。しかも、操作器収納部７はリクライニング機構部１１の回動支点Ａの近傍に設置されるので、使用者の腕から操作器収納部７までの距離を一定にすることができ、操作器６の取り出し動作を容易にできるようになる。さらに温熱部４の入切スイッチ５を、操作器収納部７の近傍位置にマッサージ機構２の回動支点Ａとほぼ同心円の方向に往復移動自在に設置して、入切スイッチ５の設置角度を背もたれ部９のリクライニング角度の変化に連動して変化させるようにしたので、例えば、背もたれ部９を起こしたときには入切スイッチ５が上向きの位置となり、背もたれ部９を後方に倒したときには入切スイッチ５は後ろ向きの位置となるようにすることで、使用者の腕から入切スイッチ５までの距離が常に一定となる。従って、背もたれ部９を起こした状態と倒した状態のいずれでも、背もたれ部９にもたれている使用者の腕から入切スイッチ５までの距離が変わらなくなるので、使用者はいちいち起き上がって入切スイッチ５を押したりする必要がなくなり、操作性がきわめて良くなる。つまり、背もたれ部９を起こした状態と倒した状態のいずれでも、操作器収納部７から操作器６を取り出す動作と、温熱部４の入切スイッチ５を入れる動作の２つの動作をほぼ同時に行うことができ、操作性及び使用性が一層良くなる。
【０００６】
また上記温熱部４の入切スイッチ５がマッサージ機構２の電源スイッチ３とは独立して配置され、入切スイッチ５を押しながら電源スイッチ３をオンにしたときはその後に入切スイッチ５を押しても温熱部４はオンとならないように構成されているのが好ましく、この場合、夏場のように使用者が温熱部４の電源をいれずに使用している場合などにおいて、入切スイッチ５が偶発的或いは故意（例えば子供の悪戯など）にオンになってしまう不具合を未然に防止できる。
【０００７】
また上記背もたれ部９の角度を可変にするためのリクライニング機構部１１の回動支点Ａの近傍にマッサージ機構２の操作器収納部７を設置し、且つこの操作器収納部７の近傍に温熱部４の入切スイッチ５を設置してなるのが好ましく、この場合、温熱部４の入切スイッチ５の動作と操作器６の取り出し動作とをほぼ同時に行うことができると共に、背もたれ部９を起こした状態と倒した状態のいずれでも腕から入切スイッチ５までの距離、操作器収納部７までの距離がそれぞれ変わらず、従来のように使用者がいちいち起き上がって入切スイッチ５を押したり、操作器６を取り出す動作を強いられることがないものである。
【０００９】
また上記温熱部４の入切スイッチ５のオン・オフ確認用の表示灯１２を備えると共に、入切スイッチ５の角度変化に対応して上記表示灯１２の設置角度を変化できるように構成するのが好ましく、この場合、使用者は背もたれ部９にもたれたままの状態で表示灯１２を見るだけで入切スイッチ５のオン・オフの確認動作を容易に行うことができる。
【００１０】
【発明の実施の形態】
以下、本発明を添付図面に示す実施形態に基づいて説明する。
【００１１】
本実施形態の椅子型のマッサージ機１は、図１、図２（ａ）に示すように、座部８の後部にリクライニングレバー操作によりリクライニング可能な背もたれ部９が配設され、座部８の前部に足載せ部１０が配設されている。
【００１２】
上記座部８、背もたれ部９、足載せ部１０の少なくとも１箇所には、例えば振動指圧、もみ、たたき、ローラー等のマッサージ機構２が内蔵されている。ここでは、背もたれ部９に、上下動可能で自動施療又はマニュアル施療が可能な背部マッサージ機構２ａが内蔵されており、足載せ部１０には振動等を行う脚部マッサージ機構２ｂが内蔵されている。図１中の１５は肘掛、２１は足載せ部１０を回動支持するリンク機構、２２はガススプリングである。
【００１３】
マッサージ機構２の電源スイッチ３は、図４に示すように、マッサージ機構２の選択スイッチ３０を備えた操作器６に設けられている。操作器６は図１に示すように、マッサージ機１の側方位置に設置された操作器収納部７に出し入れ自在に収納されている。操作器収納部７は、背もたれ部９の角度を可変にするためのリクライニング機構部１１の回動支点Ａの近傍に設置してあり、使用者の腕から操作器収納部７までの距離を一定にすることで、操作器６の取り出し動作を容易にできるようになっており、また操作器６を手元で操作することによって使用者の使いたいマッサージ動作を容易に選択できるようになっている。操作器収納部７は、図３に示すように、縦長で且つ扁平状をした側部ケース１８の前面に上方に開口して設けられており、操作器６を使用しないときに収納することで、操作器６の紛失等を防止できるものである。なお図３中の１６は操作器コード、１７は電源コード、１９は電源回路である。
【００１４】
上記座部８と背もたれ部９と足載せ部１０の少なくとも１箇所には、図２（ｂ）に示すように、温熱効果を得るための温熱部４が設けられている。この温熱部４は、座部８等の表層材を構成するマットレスやクッションで覆われており、座部フレーム８ａの上面、及び足載せ部フレーム１０ａの上面にそれぞれ蛇行状に配設された温熱用ヒーター４ａで構成されている。なお、温熱用ヒーター４ａは、座部８と背もたれ部９と足載せ部１０のすべてに設置されてもよいが、いずれか１つ或いは２つに設置されてもよい。温熱用ヒーター４ａの電源の入切スイッチ５は、上記操作器収納部７の近傍位置、例えば図３に示す側部ケース１８の上面１８ａに組み込まれている。
【００１５】
しかして、共通の側部ケース１８の上面に入切スイッチ５、前面に操作器収納部７を設置したことによって、操作器６を操作器収納部７から取り出す動作と、温熱用ヒーター４ａの入切スイッチ５を入れる動作とを近い位置で容易に行うことができて使い易くなり、マッサージ機構２と温熱用ヒーター４ａとを同時に使用する場合の操作性も良くなる。しかも、側部ケース１８を、背もたれ部９の角度を可変にするためのリクライニング機構部１１の回動支点Ａの近傍に設置したことによって、回動支点Ａの近傍に操作器収納部７と温熱用ヒーター４ａの入切スイッチ５とが位置することとなり、背もたれ部９を起こした状態と倒した状態のいずれでも、背もたれ部９にもたれている使用者の腕から入切スイッチ５までの距離、操作器収納部７までの距離がそれぞれ変わらなくなる。従って、従来のように使用者がいちいち起き上がって入切スイッチ５を押したり、操作器６を取り出す動作を強いられることがなく、操作性がきわめて良くなる。また背もたれ部９のリクライニング角度を変えた場合でも、使用者の腕から入切スイッチ５及び操作器収納部７までの距離が変わらないので、操作器収納部７から操作器６を取り出す動作と温熱用ヒーター４ａの入切スイッチ５を入れる動作の２つの動作をほぼ同時に行うことができて、操作性及び使用性がさらに良くなる。
【００１６】
ところで、夏場のように使用者が温熱用ヒーター４ａの電源をいれずに使用している場合などにおいては、温熱用ヒーター４ａの入切スイッチ５が偶発的或いは故意（例えば子供の悪戯など）にオンになってしまうという不具合が生じることがある。なお入切スイッチ５を子供が容易に触れられない位置に設置すると、使用者による入切スイッチ５の操作が困難になるという問題がある。
【００１７】
そこで、本発明では、温熱用ヒーター４ａの入切スイッチ５はマッサージ機構２の電源スイッチ３とは独立して配置され、温熱用ヒーター４ａの入切スイッチ５を押しながら電源スイッチ３をオンにしたときはその後に入切スイッチ５を押しても温熱用ヒーター４ａはオンとならないように構成してある。つまり、温熱用ヒーター４ａを使わないときは、温熱用ヒーター４ａの入切スイッチ５を押しながらマッサージ機構２の電源スイッチ３をオンにすると、温熱用ヒーター４ａはオフ状態でロックされ、マッサージ機構２の電源のみが入り、安心してマッサージを行うことができる。また上記のような入切スイッチ５のオフ状態はマッサージ機構２の電源を切るまで継続され、入切スイッチ５を何回押しても温熱用ヒーター４ａの電源を入れることができないようにすることで、子供の悪戯等による温熱用ヒーター４ａの誤作動を未然に防止できるようになる。なお、マッサージ機構２の電源を切ることで入切スイッチ５のオフ状態が解除される構成とすればよい。
【００１８】
図５は他の実施形態を示している。この例では、温熱用ヒーター４ａの入切スイッチ５の設置角度を背もたれ部９のリクライニング角度に対応して変化できるように構成してある。他の構成は図１と同様であり、異なる点だけを述べる。本例では、側部ケース１８の上面１８ａがマッサージ機構２の回動支点Ａとほぼ同心円状に形成されおり、側部ケース１８の上面１８ａに温熱用ヒーター４ａの入切スイッチ５と、入切スイッチ５のオン・オフ確認用の表示灯１２とが設置されており、これら入切スイッチ５及び表示灯１２の位置を背もたれ部９のリクライニング角度に対応して変化できるようにしてある。つまり、背もたれ部９のリクライニング角度を変化させる場合において、これに連動して入切スイッチ５及び表示灯１２の位置が変わるように、入切スイッチ５及び表示灯１２が側部ケース１８の上面１８ａに沿って図５の矢印イで示す方向に往復移動自在となっている。従って、背もたれ部９を起こしたときには入切スイッチ５及び表示灯１２が上向きの位置となり、また背もたれ部９を後方に倒したときには入切スイッチ５及び表示灯１２は後ろ向きの位置となり、これにより、使用者の腕から入切スイッチ５までの距離が常に一定となるので、使用者はいちいち起き上がって入切スイッチ５を押す必要がなくなり、操作性が向上する。さらに、入切スイッチ５のオン・オフ確認用の表示灯１２も入切スイッチ５の角度変化に合わせて同時に角度変化するので、入切スイッチ５のオン・オフの確認動作もしやすくなる。
【００１９】
なお、図５において、背もたれ部９のリクライニングに連動して入切スイッチ５及び表示灯１２の位置が変わるようにしたが、もちろん、入切スイッチ５及び表示灯１２の移動を背もたれ部９に連動させずに、手動で側部ケース１８の上面１８ａに沿って移動させるようにしてもよいものである。
【００２０】
【発明の効果】
上述のように請求項１記載の発明にあっては、座部の後部にリクライニング可能な背もたれ部が配設され、前部に足載せ部が配設された椅子型のマッサージ機において、座部と背もたれ部と足載せ部の少なくとも１以上を加温する温熱部を備えると共に、背もたれ部の角度を可変にするためのリクライニング機構部の回動支点の近傍にマッサージ機構を手元で操作する操作器を収納するための操作器収納部を設置し、上記温熱部の入切スイッチを上記操作器収納部の近傍位置にマッサージ機構の回動支点とほぼ同心円の方向に往復移動自在に設置して、入切スイッチの設置角度を背もたれ部のリクライニング角度に対応して変化できるように構成したので、操作器を操作器収納部から取り出す動作と温熱部の入切スイッチを入れる動作とを互いに接近した位置で容易に行うことができて使い易くなり、マッサージ機構と温熱部とを同時に使用する場合の操作性を良くすることができる。また、上記操作器収納部はリクライニング機構部の回動支点の近傍位置に設置されるので、使用者の腕から操作器収納部までの距離を一定にすることができ、操作器の取り出し動作を容易にできるようになり、さらに背もたれ部を起こした状態と倒した状態のいずれでも、背もたれ部にもたれている使用者の腕から入切スイッチまでの距離が変わらないようにできるので、使用者はいちいち起き上がって入切スイッチを押したりする必要がなくなり、操作性がきわめて良くなる。つまり、背もたれ部を起こした状態と倒した状態のいずれでも、操作器収納部から操作器を取り出す動作と、温熱部の入切スイッチを入れる動作の２つの動作をほぼ同時に行うことができ、操作性及び使用性が一層良くなる。
【００２１】
また請求項２記載の発明は、請求項１記載の効果に加えて、温熱部の入切スイッチがマッサージ機構の電源スイッチとは独立して配置され、温熱部の入切スイッチを押しながら電源スイッチをオンにしたときはその後に温熱部の入切スイッチを押しても温熱部はオンとならないように構成されているので、夏場のように使用者が温熱部の電源をいれずに使用している場合などにおいて、温熱部の入切スイッチが偶発的或いは故意（例えば子供の悪戯など）にオンになってしまうという不具合を未然に防止できる。
【００２４】
また請求項３記載の発明は、請求項１記載の効果に加えて、温熱部の入切スイッチのオン・オフ確認用の表示灯を備えると共に、入切スイッチの角度変化に対応して上記表示灯の設置角度を変化できるように構成したので、背もたれ部のリクライニング角度の変化に連動して入切スイッチ及び表示灯の両方の位置が変化することで、使用者は背もたれ部にもたれたままの状態で表示灯を見るだけで入切スイッチのオン・オフの確認動作を容易に行うことができる。
【図面の簡単な説明】
【図１】本発明の実施形態の一例を示す側面図である。
【図２】（ａ）は同上のマッサージ機の斜視図、（ｂ）は温熱用ヒーターを説明する斜視図である。
【図３】（ａ）は同上の側部ケースの平面図、（ｂ）は正面図、（ｃ）は側面図である。
【図４】同上のブロック図である。
【図５】他の実施形態の側面図である。
【図６】従来例の側面図である。
【符号の説明】
１  マッサージ機
２  マッサージ機構
３  電源スイッチ
４  温熱部
５  入切スイッチ
６  操作器
７  操作器収納部
８  座部
９  背もたれ部
１０  足載せ部
１１  リクライニング機構部
１２  表示灯
【図１】
0003692836.tif 000002
【図２】
0003692836.tif 000003
【図３】
0003692836.tif 000004
【図４】
0003692836.tif 000005
【図５】
0003692836.tif 000006
【図６】
0003692836.tif 000007